(57)【要約】      （修正有）【課題】  剥離することがなく長期間維持することができる信頼性の高い装飾を実現し、デザイン性の向上、及び、装飾に費やすコストの軽減、を図ることができる携帯電話端末用カバーの装飾方法を提供すること。【解決手段】  携帯電話端末用カバーに、当該カバーの表面から５μｍ〜１００μｍの深さの彫刻を施して装飾する。また、彫刻を携帯電話端末に着脱自在な携帯電話端末用カバーに施す。【選択図】図１
2007074527.tif 000002
【特許請求の範囲】
【請求項１】
携帯電話端末用カバーに、当該カバーの表面から５μｍ〜１００μｍの深さの彫刻を施して装飾する、ことを特徴とする携帯電話端末用カバーの装飾方法。
【請求項２】
前記彫刻を、当該彫刻深さよりも浅い塗装が表面に施された前記携帯電話端末用カバーに施す、ことを特徴とする請求項１記載の携帯電話端末用カバーの装飾方法。
【請求項３】
前記彫刻を、前記携帯電話端末に着脱自在な前記携帯電話端末用カバーに施す、ことを特徴とする請求項１又は２記載の携帯電話端末用カバーの装飾方法。
【請求項４】
前記彫刻を、前記着脱自在な携帯電話端末用カバーの前記携帯電話端末への装着面側の表面に施す、ことを特徴とする請求項３記載の携帯電話端末用カバーの装飾方法。
【請求項５】
前記彫刻を、レーザ加工機を用いて行う、ことを特徴とする請求項１，２，３又は４記載の携帯電話端末用カバーの装飾方法。
【発明の詳細な説明】
【技術分野】
【０００１】
本発明は、携帯電話端末用カバーの装飾方法にかかり、特に、カバーに彫刻を施して装飾する方法に関する。
【背景技術】
【０００２】
近年、携帯電話の所持率が高くなり、一人一台の状況になりつつある。これに伴い、携帯電話が高機能化されると共に、そのデザインも多様になっている。そして、デザインの多様化を図るために、特許文献１に示すように、携帯電話のカバー（筐体）にシールを貼付したり、塗装を施すなどの装飾が行われている。
【０００３】
また、近年では、携帯電話のカバーの一部を付け替えられるよう構成されているものもある。これにより、付け替え用カバーを独自にデザインしたり、上述した塗装が容易となり、所有者固有の装飾を行うことも可能になっている。
【０００４】
【特許文献１】特開２０００−２９９７２２号公報
【発明の開示】
【発明が解決しようとする課題】
【０００５】
しかしながら、上記従来例における携帯電話用カバーの装飾では、貼付したシールや塗装が剥離するなどの問題があった。特に、携帯電話は手に持って操作するため、汗によって剥がれたり、さらには、ポケットやバッグに収納する際やテーブルなどに置いた際などに擦れて剥がれるなど、せっかく施した装飾を長期間維持することが困難であった。従って、使用するうちにデザイン性が損なわれ、これにより再度装飾を施すなどコストや手間が増大する、という問題があった。
【０００６】
このため、本発明では、剥離することがなく長期間維持することができる信頼性の高い装飾を実現し、デザイン性の向上、及び、装飾に費やすコストの軽減、を図ることができる携帯電話端末用カバーの装飾方法を提供することをその目的とする。
【課題を解決するための手段】
【０００７】
このため、本発明の一形態である携帯電話端末用カバーの装飾方法は、携帯電話端末用カバーに、当該カバーの表面から５μｍ〜１００μｍ、さらに望ましくは、カバー表面の塗装厚さに応じて、１０μｍ〜５０μｍ、の深さの彫刻を施して装飾する、ことを特徴としている。当該発明によると、カバーの表面から上記深さの彫刻を施すため、小型軽量化のために厚みの薄い携帯電話用カバーであっても当該カバーの強度を低下させることなく、彫刻による装飾を施すことができる。そして、彫刻であることから、剥離などの心配がなく、装飾の信頼性の向上を図ることができる。さらには、彫刻の深さが極めて浅いため、利用者が所持したときに当該利用者が彫刻のザラザラ感を感じることなく、フィット感を維持することができる。
【０００８】
また、彫刻を、当該彫刻深さよりも浅い塗装が表面に施された携帯電話端末用カバーに施す、ことを特徴としている。これにより、表面に塗装が施されたカバーに対しては、この塗装を除去するよう彫刻することで彫刻部分から塗装の下層に位置する部分が露出し、デザイン性の向上を図ることができる。
【０００９】
さらに、彫刻を、携帯電話端末に着脱自在な携帯電話端末用カバーに施す、ことを特徴としている。このとき、彫刻を、着脱自在な携帯電話端末用カバーの携帯電話端末への装着面側の表面に施す、ことを特徴としている。これにより、カバーを取り外した状態で彫刻することができるため、彫刻の自由度が増す。特に、透明部材であるカバーの内部側に位置する表面に彫刻を施すことで、端末表面の形状を維持しつつ、装飾を外部から視認させるよう施すことができる。
【００１０】
また、彫刻を、レーザ加工機を用いて行う、ことを特徴としている。これにより、高精度な彫刻を実現することができ、本発明に好適である。
【発明の効果】
【００１１】
本発明は、以上のように構成され機能するので、これによると、カバーの表面からマイクロメートルオーダーの彫刻を施すため、小型軽量化のために厚みが薄い携帯電話用カバーであっても当該カバーの強度を低下させることなく、彫刻による装飾を施すことができ、さらには、剥離などの心配がなく、装飾の信頼性の向上を図ることができる、という従来にない優れた効果を有する。
【発明を実施するための最良の形態】
【００１２】
本発明である携帯電話端末用カバーの装飾方法は、カバーの表面に極めて浅い深さの彫刻を施すことで装飾する、という点に特徴を有する。以下、具体的な構成を、実施例にて説明する。
【実施例１】
【００１３】
本発明の第１の実施例を、図１乃至図２を参照して説明する。図１は、携帯電話及びそのカバーの構成を示す図であり、図２は、カバーに彫刻施す際の様子を示す図である。
【００１４】
図１（ａ）に示す携帯電話端末１は、上部筐体１１と下部筐体１２とが回動自在なようヒンジを介して連結された折畳型携帯電話である。そして、上部筐体１１の表面には、当該筐体に着脱自在な図１（ｂ）に示すカバー２が装着されている。このカバー２は、携帯電話端末１のデザインを変更するために付け替え可能となっている。そして、本発明は、このカバー２の表面に彫刻を施して装飾する方法であるため、以下、カバー２と、その彫刻方法について詳述する。
【００１５】
上記カバー２は、図１（ｂ）に示すように、上部筐体１１とほぼ同様の外形を有しており、厚さが約１．０ｍｍの板状部材である。そして、図２にその断面図を示すが、所定の厚さＨ１を有するベース部２１（基礎部材）と、装着時に携帯電話の外側に位置するカバー２の表面に施されている厚さＨ２が約２０μｍの塗装部２２と、により構成されている。この塗装部２２には、例えば、赤や青などの単一色の着色や、さらには、所定の模様が施されている。あるいは、塗装部２２は、１層に限定されず、多層の塗装によって形成されている。また、この塗装部２２の厚さＨ２、あるいは、塗装部２２を形成する最表面に位置する塗装層の厚さは、後述する彫刻深さよりも浅く形成されており、例えば、５〜１００μｍの厚さ、さらに具体的には、１０〜５０μｍ程度の厚さに形成されている。なお、上述したカバー２全体の厚さや、ベース部２１、塗装部２２の厚さは一例であって、上記厚さに限定されない。
【００１６】
そして、カバー２には、さらに、図１（ｂ）の符号２０に示すように、文字や絵による彫刻が施されている。なお、この図では、彫刻の一例として「ＤＥＳＩＧＮ」という文字を図示しているが、文字に限定されず、模様や絵であってもよい。このような彫刻を行う構成及び彫刻時の様子を図２に示す。
【００１７】
図２に示すように、カバー２に対する彫刻は、レーザ加工機３を用いて行う。このレーザ加工機３は、ワーク台Ｇに載置されたカバー２表面に対して彫刻用のレーザビーム３１ａを照射するレーザ照射装置３１と、レーザ照射装置３１の位置を駆動する駆動装置３２と、レーザ照射位置及び照射出力を制御するコントローラ３３と、を備えている。そして、レーザ照射装置３１は、コントローラ３３による制御指令に応じて、所定のビーム系（例えば３０μｍ）、及び、所定の強度のレーザビームを出力する。
【００１８】
特に、レーザビームの強度は、カバー２の表面から５μｍ〜１００μｍ、望ましくは、１０μｍ〜５０μｍの深さの彫刻を施す強度に設定するとよい。つまり、カバー２の塗装部２２を除去する程度の強度が望ましい。あるいは、多層からなる塗装部２２の場合には、表面側に形成された所定の層を除去する程度の強度であってもよい。これにより、表面の塗装部２２を除去するよう彫刻することで、彫刻部分から塗装の下層に位置するカバーのベース部２１の地肌（例えば、金属色）が外部に露出し、彫刻部分をさらに装飾することができ、デザイン性の向上を図ることができる。さらには、塗装が多層の場合には、除去した層の下位層の色が外部に露出し、彫刻部分を装飾することができる。
【００１９】
そして、彫刻を施したカバー２は、携帯電話端末１の上部筐体１１の表面にねじなどで装着される。このようにすることで、カバーの表面からマイクロメートルオーダーの彫刻にて装飾しているため、小型軽量化のために厚みの薄い携帯電話用カバーであっても当該カバーの強度を低下させることなく、彫刻による装飾を施すことができる。そして、彫刻であることから、剥離などの心配がなく、装飾の信頼性の向上を図ることができる。さらには、彫刻の深さが極めて浅いため、利用者が所持したときに当該利用者が彫刻のザラザラ感を感じることなく、フィット感を維持することができる。また、レーザ加工機３を用いて彫刻を行っているため、上述したようなマイクロメートルオーダーという高精度な彫刻を実現することができる。
【００２０】
ここで、上記では、携帯電話端末１に着脱自在なカバー２に対して彫刻を施す場合を説明したが、筐体の表面に直接彫刻を施して装飾してもよい。また、携帯電話１の構成は、上述した折畳型に限定されない。
【００２１】
また、上記では、塗装部２２が形成されたカバー２に対して彫刻を施す場合を例示したが、これに限定されない。塗装が施されていないカバー２に対して彫刻を施してもよい。そして、カバー２の素材は、アルミニウムなどの金属部材であってもよく、透明のアクリル製や木製のものであってもよい。そして、その表面に彫刻を施すことで、彫刻の凹凸による装飾を施すことができる。特に、アクリル製のカバー２においてレーザ彫刻を施すことで、レーザを照射して彫刻を施した部分は透明から白色に変化し、これによって彫刻部分を目立たせることができる。
【実施例２】
【００２２】
次に、本発明の第２の実施例を、図３を参照して説明する。図３（ａ）は、本実施例におけるカバー４を示す平面図であり、図３（ｂ）は、そのＡ−Ａ断面図である。
【００２３】
この図に示すように、本実施例における携帯電話端末に着脱自在なカバー４も、上記実施例１にて説明したものと形状はほぼ同様である、但し、本実施例では、カバー４の携帯電話端末１との装着面側に彫刻を施す点で異なる。以下、詳述する。
【００２４】
本実施例におけるカバー４は、例えば、透明なアクリル製である。そして、図３（ｂ）に示すように、携帯電話に装着されたときに外側に位置する面側４Ａ（外部面側）ではなく、携帯電話への装着面側４Ｂ（内側）の表面に彫刻が施される。なお、この彫刻の深さは上述したように５μｍ〜１００μｍの深さであり、彫刻はレーザ加工機３にて実行される。すると、レーザを照射して彫刻を施した部分は透明から白色に変化する。これによって、カバー４は透明なアクリル製であるため、反対側の外部面側４Ａからも彫刻部分を視認することができる。そして、彫刻された装着面側４Ｂを携帯電話端末１に対向させて装着される。
【００２５】
以上のようにすることで、彫刻部分が内部に位置することから、当該彫刻部分を保護することができる。また、外部面側４Ａには凹凸がなく、ユーザのフィット感が損なわれることを抑制することができる。
【産業上の利用可能性】
【００２６】
本発明によると、携帯電話端末のカバーに彫刻にて装飾することができ、ユーザの満足度の向上を図ることができ、産業上の利用可能性を有する。
【図面の簡単な説明】
【００２７】
【図１】図１（ａ）は、本発明における携帯電話端末を示す斜視図であり、図１（ｂ）は装着されるカバーを示す平面図である。
【図２】実施例１におけるカバーに彫刻施す構成及びその様子を示す図である。
【図３】図３（ａ）は、実施例２におけるカバーを示す平面図であり、図３（ｂ）は、そのＡ−Ａ断面図である。
【符号の説明】
【００２８】
１  携帯電話端末
２，４  携帯電話端末用カバー
３  レーザ加工機
２０，４０  彫刻部
２１  ベース部（基礎部材）
２２  塗装部
【図１】
2007074527.tif 000003
【図２】
2007074527.tif 000004
【図３】
2007074527.tif 000005